(57)【特許請求の範囲】
【請求項１】
本体容器１の側面に穴２を設け、本体容器１に吸水性スポンジ７を嵌めて、接着剤を使用して生花を挿し、本体容器１の側面の穴２から吸水性スポンジ７の脱落を防ぐための針状の支持具３を差し込んで成る生花のアクセサリー。
【請求項２】
本体容器１の側面に穴２を設け、その内側に収まる容器１ａの側面にも本体１と符合する穴２を有し容器１ａに吸水性スポンジ７を嵌めて、接着剤を使用して生花を挿し、これを本体容器１に収め本体容器１の側面の穴２から吸水性スポンジ７の脱落を防ぐための針状の支持具３を差し込んで成る生花のアクセサリー。
【請求項３】
本体容器１の上縁の一端４から向かいの上縁５に設けた係止片６に渡る吸水性スポンジ７の脱落を防ぐための針状の支持具３を取り付けたものであり、この針状の支持具３（以下支持具３と記載します）を上にあげて吸水性スポンジ７を入れた後、係止片６の下に支持具３を差し込んで生花を挿して成る生花のアクセサリー。
【発明の詳細な説明】
【０００１】
【発明の属する技術分野】
本発明は女性が身に着けるブローチ、ペンダント、イヤリング、バレッタ等のアクセサリーに関するもので生花を挿して楽しむものである。
【０００２】
【従来の技術】
従来のコサージはワイヤーをかけて、テーピングしてまとめるものであるから、花自体の水分が無くなったら枯れてしまう恐れがあった。又小さな壺のようなブローチがあって、中に水を少し入れて花を挿すのであるが一、二輪しか入らずバランスが悪く、すぐひっくり返ってしまう欠点があった。
【０００３】
【発明が解決しようとする課題】
本発明は上記の欠点を克服する為にブローチ、ペンダント、イヤリング、バレッタ等の台を容器にして其の中に吸水性スポンジを嵌め、花を挿すものであり、水分を補給する事も出来るので、花は長く美しさを保ちアレンジも楽しめるものである。
【０００４】
【課題を解決するための手段】
本発明は、上記の課題を解決するために請求項１、に示すように側面に穴を設けた本体容器１に吸水性スポンジを入れて、本体容器１の側面の穴から支持具を差し込んで成るものと、請求項２に示すように、本体容器１とその内側に収まる容器１ａの側面にも本体容器と符合する穴を設け容器１ａに吸水性スポンジを入れて花を挿し、本体容器に収めて外側の側面の穴から支持具を差し込んで成るもの。又請求項３のように、本体容器１の上縁の一端４から向かいの上縁５に設けた係止片６に渡る吸水性スポンジ７の脱落を防ぐための支持具３を取り付けたものであり、この支持具３を上にあげて吸水性スポンジ７を入れた後、向かいの係止片６の下に支持具３を差し込んで吸水性スポンジ７を固定し、接着剤を使用して花を挿したブローチ、ペンダント、イヤリング、バレッタ等の生花のアクセサリーを提供するものである。吸水性スポンジに水を含ませて花を挿すので、花は長く美しさを保ち又スポイド等で水分を補給する事もできる。
【０００５】
【発明実施の形態】
以下、本発明の実施の形態を図示例に基づいて説明する。
【０００６】
図１、に示すものは、本体容器１の側面に支持具３を差し込む穴２を設けたものである。複数の穴を設けておけば、花や葉も挿す事が出来る。この材質は金属性のものが好ましいが本体容器の側面にリボン等装飾を施す場合は合成樹脂でも良い。
【０００７】
図２、に示すものは、上記、記載の本体容器１に嵌る吸水性スポンジ７である。図示はしていないが、本体容器１より真中を高くしたり全体を高くしたりすれば、水を含む量が多くなる効果が生ずる。
【０００８】
図３は、支持具３であって本体容器１の側面の穴へ外側から差し込む支持具３である。この支持具はコサージピンのようなものでも良く吸水性スポンジの脱落を防ぐものである。
【０００９】
図４は、図１に示す本体容器１に吸水性スポンジを嵌めて支持具を差し込んだ実施例である。形状は四角形を図示したが、形にこだわらない又必要に応じて適宜、釣り環や留め金具を付ける。
【００１０】
図５は、請求項２に示す本体容器１の内側に収まる容器１ａであって、この側面にも本体容器と符合する穴を有するものである。本体容器の側面から一緒に支持具を差し込む事が出来る。これは本体容器の内側に収めるものであるから、プラスチック等の合成樹脂が適する。本体容器１に吸水性スポンジを入れて花を挿す場合、花が脱落しないように接着剤を用いるので高価な金属製のものは、接着剤が付着して汚れる恐れがあるが容器１ａに吸水性スポンジを嵌めて花を挿してから、本体容器１に収める方が汚すことがない。商品にする場合は容器１ａにあらかじめ吸水性スポンジも嵌めておいて、これを使い捨てとして販売することも考えられる。
【００１１】
図６は、請求項３に示す本体容器１で、上縁の一端４から、向かいの上縁５に渡る支持具３を取り付け、上縁５に係止片を設けたものである。この材質は金属製が好ましい。
【００１２】
図７は、図６の中に嵌る吸水性スポンジである。図のように、スポンジを手芸用の網目のシート（パームファイバーシート）等で包んで本体容器１もしくは容器１ａに嵌め込めば、花の脱落を防ぐものである又シートと花を接着剤で止めることも出来る。花は網目の間から挿すと良い。花の切り口に接着剤を付けると水揚げが出来ないので茎に付ける方が望ましい。
【００１３】
図８に示すものは、図６に示す本体容器１の支持具３を上に上げておいて、図７に示す吸水性スポンジ７をいれ、支持具３を係止片６の下に差込んでスポンジが脱落しないようにしたものである。これに花を挿しアレンジする。請求項３の実施例である。形状は円形を図示したが、如何なる形状でもよいのであって用途、目的により適宜釣り環や留め金具を付ける。
【００１４】
図示はしていないが、市販されている手芸に用いる留め金具や釣り環のついたアクセサリー用の台に、本発明の請求項１の本体容器１もしくは、請求項３の本体容器１を固着もしくは着脱可能にして取り付け一体化しても良い。この場合材質は金属もしくはプラスチックなどの合成樹脂でもよい。
【００１５】
図９に示すものはペンダントであって、金属性の本体容器１である。側面の穴２をねじ切りして、頭が環になっているヒートンの長めのものをねじ込んだものであり、このようにすれば釣り環と支持具が一体となるので別に釣り環を取り付ける必要がないので便利である。
【００１６】
図１０に示すものはイヤリングであって、市販の手芸用の台に容器１ａを固着して側面に支持具を差し込む穴２を設けたものである。
【００１７】
図１１図は、一部分花を挿した本発明品の製作過程である。
【００１８】
【発明の効果】
以上述べたように本発明品は花の茎が１センチあれば充分出来るので生花のペンダントや。イヤリングも楽しむ事が出来る。切り落とした花も無駄なく利用する事が出来、誰でも手軽にアレンジも楽しめるものである。
【  図面の簡単な説明】
【図１】本発明の請求項１の吸水性スポンジを嵌めていない本体容器１の斜視図。
【図２】  本発明の図１に嵌る吸水性スポンジの斜視図。
【図３】  針状の支持具である。
【図４】  本発明請求項１の実施例の斜視図。
【図５】  請求項２の本体１に収める容器１ａの斜視図。
【図６】  請求項３の吸水性スポンジを嵌めていない斜視図。
【図７】上記の本体容器に嵌る、手芸用の網状のシート（パームファイバーシート）等で包んだ吸水性スポンジの斜視図。
【図８】請求項３の実施例を示す斜視図である。
【図９】実施の形態の図９で説明したペンダントの斜視図であり、釣り環と支持具が一体になったヒートンを差し込んでなる本体容器である。
【図１０】イヤリングの斜視図。
【図１１】一部分花を挿した本発明品の製作過程を示す斜視図である。
【符号の説明】
１・・・・本体容器
１ａ・・・・容器
２・・・・穴
３・・・・支持具
４・・・・本体容器１の上縁一端
５・・・・４の向かいの上縁
６・・・・係止片
７・・・・吸水性スポンジ
８・・・・釣り環と支持具３が一体となったヒートン
以上
【図１】
0003704073.tif 000002
【図２】
0003704073.tif 000003
【図３】
0003704073.tif 000004
【図４】
0003704073.tif 000005
【図５】
0003704073.tif 000006
【図６】
0003704073.tif 000007
【図７】
0003704073.tif 000008
【図８】
0003704073.tif 000009
【図９】
0003704073.tif 000010
【図１０】
0003704073.tif 000011
【図１１】
0003704073.tif 000012